(57)【要約】【課題】消火栓の一次側に配置される自動調圧弁の取付けが極めて容易で、少なくとも送水管からの分岐管に自動調圧弁の一次側を接続する際に自動調圧弁自体を回転させる必要はなく、取り付けが極めて容易な消火設備用自動調圧弁を提供する。【解決手段】消火栓弁１４の一次側に配置される自動調圧弁１０において、該調圧弁の一次側１ａまたは二次側１ｂの配管用接続金具のうち、少なくとも一次側の接続金具７を回転管式接続金具によって構成する。【選択図】図１
0003106281.tif 000002
【実用新案登録請求の範囲】
【請求項１】
消火栓弁の一次側に配置される自動調圧弁において、該調圧弁の一次側及び二次側の配管用接続金具のうち、少なくとも一次側の接続金具が回転管式接続金具により構成されていることを特徴とする消火設備用自動調圧弁。
【請求項２】
消火栓弁の一次側に配置される自動調圧弁において、該調圧弁の一次側及び二次側の両側の配管用接続金具が回転管式接続金具により構成されていることを特徴とする消火設備用自動調圧弁。
【考案の詳細な説明】
【技術分野】
【０００１】
本考案は、消火栓弁の一次側に取り付ける場合に最適な消火設備用自動調圧弁に係り、特に、接続作業を容易になし得るようにしたものに関する。
【背景技術】
【０００２】
従来、消火栓や消火ホース等を収納する消火栓ボックスその他の消火設備においては消火栓弁の一次側に自動調圧弁が配置される。消火栓弁の一次側または二次側に自動調圧弁を配置することについては過去に提案されている（特許文献１）が、その配管接続手段としては、一般にフランジ接続が用いられている。近時は自動調圧弁を消火栓弁の一次側に接続することが多く採用されており、その場合の自動調圧弁の配管用接続金具は、弁本体の一次側、二次側共に固定式接続金具が使用されており、送水管からの分岐管に一次側が接続されると共に消火栓本体側への送水管に二次側が接続される。
【特許文献１】特許第２７１５１１５号公報
【考案の開示】
【考案が解決しようとする課題】
【０００３】
解決しようとする問題点は、消火栓弁の一次側に自動調圧弁を配置するに際し、特許文献１のようなフランジ接続では接続作業が面倒であり、また、従来のように、弁本体の一次側、二次側共に固定式接続金具を使用したものにおいては、自動調圧弁全体を回転させる必要があり、消火栓ボックスの側面の配管に接続するような場合には、自動調圧弁が壁面に当たり、回転させることができない、等の不都合があった。
【課題を解決するための手段】
【０００４】
本考案は、消火栓の一次側に配置される自動調圧弁の取付けが極めて容易で、少なくとも送水管からの分岐管に自動調圧弁の一次側を接続する際に自動調圧弁自体を回転させる必要はなく、取り付けが極めて容易な消火設備用自動調圧弁を提供することを目的とし、消火栓弁の一次側に配置される自動調圧弁において、該調圧弁の一次側及び二次側の配管用接続金具のうち、少なくとも一次側の接続金具が回転管式接続金具により構成されていることを特徴とする。
【考案の効果】
【０００５】
本考案の消火設備用自動調圧弁は、調圧弁の一次側及び二次側の配管用接続金具のうち、少なくとも一次側の接続金具が回転管式接続金具で構成されているから、一次側を送水管からの分岐管に接続するに際しては、自動調圧弁自体を回転させる必要はなく、一次側の回転管式接続金具を回転させるだけで接続することができる。
【０００６】
したがって、壁面と自動調圧弁との間の間隔が少なくても簡単に取り付けることができる。
【考案を実施するための最良の形態】
【０００７】
自動調圧弁の一次側及び二次側の配管用接続金具のうち、少なくとも一次側の接続金具を回転管式接続金具で構成したり、あるいは、一次側と二次側の両方の接続金具を回転管式接続金具で構成することにより、該回転管式接続金具を回転させるだけで接続することができる。この場合、二次側の接続金具が固定式であっても、二次側は消火栓弁側への配管であるから、該配管自体を回転させることによって接続することができる。
【実施例１】
【０００８】
図は本考案に係る消火設備用自動調圧弁の１実施例を示し、図１は断面図、図２は側面図、図３は取付状態を示す側面図、図４は取付状態の他の例を示す側面図である。
【０００９】
図において、１１は送水管、１２は分岐管、１３は消火栓設備としての消火栓ボックスであり、この消火栓ボックス１３は、ハンドル操作により開閉される消火栓弁１４、該消火栓弁１４の二次側に接続された消火ホース１５、該消火ホース１５の先端の放水ノズル１６等を備え、これらがボックス１７に収容されている。
【００１０】
自動調圧弁１０は、前記分岐管１２と消火栓弁１４との間において前記ボックス１７の外側又は内側に配置され、該自動調圧弁１０の一次側１ａが前記分岐管１２に、二次側１ｂが前記消火栓弁１４の一次側配管１４ａに、それぞれ接続される。実施例では、前記ボックス１７の外側に配置され、ボックス１７の外枠から前記一次側配管１４ａが突出している。
【００１１】
前記自動調圧弁１０の形式や内部構造は特に限定されるものではないが、実施例ではダイアフラム型のものが使用されている。図において、１は弁箱、２は弁棒、３は弁棒２の下部に固定した弁体ディスク、４はリティナー、５はダイアフラム、６は前記ダイアフラム５が常態位置にあるようにダイアフラム５を付勢するためのスプリングである。
【００１２】
前記消火栓弁１４が閉止されている状態では、一次室１Ａと二次室１Ｂが同圧のため、弁棒２、弁体ディスク３及びダイアフラム５は静止状態にあり、前記消火栓弁１４が開弁されると一次室１Ａから矢示Ｆの如く二次室１Ｂ側に、あらかじめ設定された所定の水圧で送水され、消火ホース１５及び放水ノズル１６を介して放水される。
【００１３】
二次側１ｂの水圧が設定値以上に上昇すると、二次室上部の通路１Ｃで連通しているダイアフラム室１Ｄの水圧が上昇し、ダイアフラム５がスプリング６の付勢力に抗して押し上げられ、弁棒２を介して弁体ディスク３を持ち上げて閉じる方向に制御される。
【００１４】
前例とは逆に、二次側１ｂの水圧が設定値以下に降下すると、前例とは逆の作用により弁部が開放される方向に制御される。
【００１５】
前記自動調圧弁１０は、該調圧弁の一次側１ａ及び二次側１ｂの配管用接続金具７，８のうち、少なくとも一次側１ａの接続金具７を回転管式接続金具７ａで構成する。９はスペーサーを示している。実施例では、一次側１ａの接続金具７を回転管式接続金具７ａで構成し、二次側１ｂの接続金具８を固定式接続金具８ｂで構成したが、一次側１ａと二次側１ｂの両方の接続金具７，８を回転管式接続金具にすることもできる。
【００１６】
前記のように構成することにより、自動調圧弁１０の取り付けに際し、回転管式接続金具７ａを回転させるだけでその一次側１ａを前記分岐管１２に接続することができる。この場合、二次側１ｂの接続金具８が固定式であっても、二次側１ｂは消火栓弁１４側の配管１４ａへの接続であるから、該配管１４ａ自体を回転させることによって接続することができる。
【産業上の利用可能性】
【００１７】
前記のような構成の自動調圧弁は、消火設備用だけでなく、通常の配管回路中に接続使用することもできるのは当然である。
【図面の簡単な説明】
【００１８】
【図１】自動調圧弁の断面図である。
【図２】自動調圧弁の側面図である。
【図３】消火設備用自動調圧弁の取付状態を示す消火栓ボックスの側面図である。
【図４】消火栓ボックスの他の例を示す側面図である。
【符号の説明】
【００１９】
１    弁箱
１ａ  一次側
１ｂ  二次側
２    弁棒
３    弁体ディスク
４    リティナー
５    ダイアフラム
６    スプリング
７    一次側の接続金具
７ａ  回転管式接続金具
８    二次側の接続金具
１０  自動調圧弁
１１  送水管
１２  分岐管
１３  消火栓ボックス
１４  消火栓弁
【図１】
0003106281.tif 000003
【図２】
0003106281.tif 000004
【図３】
0003106281.tif 000005
【図４】
0003106281.tif 000006